(57)【要約】【課題】  全体を薄く形成し、使用するＬＥＤの個数を少なくして製造コストが低く、表示具、照明パネル、看板等に用いることのできる発光板を提供する。【解決手段】  アクリル板等の透明な板状部材２と、透明板状部材２の一方の面を覆う光拡散フィルム等の光拡散手段３と、透明板状部材２の他方の面を覆う導光手段４と、導光手段４の外側を覆う反射板等の光反射手段５と、透明板状部材２の一方の面及び他方の面以外の少なくとも一の面から、透明板状部材２に光を導入する光源６とを備える発光板１。発光板１の側面側に光源６を配置したため、発光板１全体の厚さを薄くすることができる。導光手段４は、透明板状部材の他方の面を覆う白色格子状にチタン白（ＴｉＯ2）や沈降性硫酸バリウム（ＢａＳＯ4）等の塗料４ａを塗った塗布層とし、光源６は、互いに近接する複数のＬＥＤを複数組揃えたものとすることが好適である。【選択図】  図１
2006322966.tif 000002
【特許請求の範囲】
【請求項１】
透明な板状部材と、
該透明板状部材の一方の面を覆う光拡散手段と、
前記透明板状部材の他方の面を覆う導光手段と、
該導光手段の外側を覆う光反射手段と、
前記透明板状部材の前記一方の面及び前記他方の面以外の少なくとも一の面から、該透明板状部材に光を導入する光源とを備えることを特徴とする発光板。
【請求項２】
前記導光手段は、前記透明板状部材の他方の面を覆う白色格子状の塗布層であることを特徴とする請求項１に記載の発光板。
【請求項３】
前記光源は、前記透明板状部材の前記一方の面と前記他方の面以外の少なくとも一の面に相対向して配置された複数のＬＥＤであることを特徴とする請求項１又は２に記載の発光板。
【請求項４】
前記複数のＬＥＤは、互いに近接する複数のＬＥＤを複数組揃えたものであることを特徴とする請求項３に記載の発光板。
【発明の詳細な説明】
【技術分野】
【０００１】
本発明は、発光板に関し、特に、表示具、照明パネル、看板、棚ライト、フットライト等に用いる発光板に関する。
【背景技術】
【０００２】
従来、上述のような目的に用いられる発光板は、アクリル板等からなる透明板状部材の一方の面を覆う光拡散フィルムと、他方の面側に設けられた複数のＬＥＤ等からなるバックライトを備え、バックライトから発せられた光を光拡散フィルムに導いて拡散させることにより、照明等として機能していた。
【発明の開示】
【発明が解決しようとする課題】
【０００３】
しかし、上記従来の発光板においては、アクリル板の光拡散フィルムが貼着された面とは反対側の面にバックライトが配置されているため、バックライトが存在する分だけ発光板が厚くなるという問題があった。
【０００４】
また、バックライトによってアクリル板の一方の面の全面を発光させる必要があるため、バックライトをＬＥＤで構成した場合には、例えば、３０ｃｍ×２０ｃｍの発光面を実現するにあたって１００個程度のＬＥＤが必要となり、発光板の製造コストが増大するという問題があった。
【０００５】
そこで、本発明は、上記従来の発光板における問題点に鑑みてなされたものであって、発光板全体を薄く形成することができるとともに、使用するＬＥＤの個数を少なくすることによって製造コストの低い発光板を提供することを目的とする。
【課題を解決するための手段】
【０００６】
上記目的を達成するため、本発明は、発光板であって、透明な板状部材と、該透明板状部材の一方の面を覆う光拡散手段と、前記透明板状部材の他方の面を覆う導光手段と、該導光手段の外側を覆う光反射手段と、前記透明板状部材の前記一方の面及び前記他方の面以外の少なくとも一の面から、該透明板状部材に光を導入する光源とを備えることを特徴とする。
【０００７】
そして、本発明によれば、透明板状部材の光拡散手段を設けた面、並びに、導光手段及び反射手段を設けた面以外の少なくとも一の面から光源に光を導入する光源によって透明板状部材に光を導入し、導入された光を導光手段によって透明板状部材全体に導き、光反射手段で反射し、光拡散手段によって透明板状部材全体に拡散させるため、透明板状部材全体を面発光させることができる。そのため、透明板状部材の板厚を発光板全体の厚さとすることができ、従来に比較して発光板の板厚を薄くすることができる。
【０００８】
前記発光板において、前記導光手段を、前記透明板状部材の他方の面を覆う白色格子状の塗布層とすることができる。塗布層の白色格子状部分を光が次々と効率よく導かれるため、従来よりも少ない数の光源で透明板状部材全体を面発光させることができ、発光板の製造コストを低減することができる。
【０００９】
前記発光板において、前記光源を、前記透明板状部材の前記一方の面と前記他方の面以外の少なくとも一の面に相対向して配置された複数のＬＥＤとすることができる。これによって、従来のバックライト型の発光板で３０ｃｍ×２０ｃｍの発光面を実現するのに１００個程度必要であったＬＥＤを、３０個程度に減少させることができる。
【００１０】
前記発光板において、前記複数のＬＥＤを、互いに近接する複数のＬＥＤを複数組揃えたものとすることができる。これによって、同一個数のＬＥＤを用いた場合でも、複数のＬＥＤを一個ずつ間欠的に配置した場合に比較して、格段に効率よく透明板状部材全体を面発光させることができる。
【発明の効果】
【００１１】
以上のように、本発明によれば、発光板全体を薄く形成することができ、使用するＬＥＤの個数を少なくすることによって製造コストも低く抑えることが可能な発光板を提供することができる。
【発明を実施するための最良の形態】
【００１２】
図１は、本発明にかかる発光板の一実施の形態を示し、この発光板１は、透明な板状部材としてのアクリル板２と、アクリル板２の一方の面を覆う光拡散手段としての拡散シート３と、アクリル板２の他方の面を覆う導光手段として、格子状に白色塗料を塗布した塗布層（印刷層）４と、塗布層４の外側の面を覆う光反射手段としての反射板５と、アクリル板２に光を導入する光源としてのＬＥＤ（Light Emitting Diode）６とを備える。
【００１３】
アクリル板２は、ガラスと同等の透明性を有するプラスチックで形成され、透明な板状部材として最も適しているが、アクリル板２の他に、塩化ビニルで形成した板状部材等を用いることもできる。アクリル板２の寸法は、発光板１の用途によって種々変更可能であるが、以下の説明においては、３０×２０×１ｃｍ程度の寸法のアクリル板２を照明パネルとして用いる場合を例にとって説明する。
【００１４】
拡散シート３は、樹脂にシリカ等の微粉末を練り込むことによって光を拡散するように形成され、アクリル板２の前面側に貼着される。
【００１５】
塗布層４は、アクリル板２の後面側に、チタン白（ＴｉＯ2）や沈降性硫酸バリウム（ＢａＳＯ4）等からなる塗料を塗布することによって形成し、アクリル板の寸法に応じて全面に塗布したり、図２に示すように、格子状に、幅０．１〜１０ｍｍ程度の塗料４ａが塗布され、隣接する線状の塗布部分の間隔Ｌは、０．３〜０．９ｍｍに設定される。尚、格子状以外にも、塗料を塗布することにより、幾何光学的な光線追跡により全反射を繰り返して光を伝播させるように構成することもできる。
【００１６】
反射板５は、鏡面仕上を施した面を有し、塗布層４の後面側に貼着され、アクリル板２に導入された光を拡散シート３側に反射する。
【００１７】
ＬＥＤ６は、アクリル板２の全体を白色照明又は多色照明するため、アクリル板２の上面側に複数備えられる。ＬＥＤ６には、チップ型又は砲弾型ＬＥＤが用いられる。チップ型ＬＥＤは、レンズとともに用いられ、チップ自体が白色又は多色に発光するものなどを用いることができる。また、砲弾型ＬＥＤは、発光素子から放射された光を樹脂レンズを介して外部へ放射するものである。尚、ＬＥＤ６の電源には、１００〜２４０Ｖの商用電源及び電池等を用いることができる。
【００１８】
図１に示すように、アクリル板２の上面側に配置するＬＥＤ６は、一個ずつ間欠的に配置するのではなく、複数（図示の例では３個）のＬＥＤ６を１グループとして、所定の間隔を開けて複数グループ配置することが好ましい。これによって、導光性能を高めることができる。尚、アクリル板２の上面側だけでは、アクリル板２の下面側の光量が不足する場合には、アクリル板２の下面側にもＬＥＤ等の光源を配置することができ、さらにアクリル板２の両側面を含めた４面にＬＥＤ等の光源を配置することもできる。
【００１９】
次に、上記構成を有する発光板１の動作について説明する。
【００２０】
ＬＥＤ６が点灯すると、ＬＥＤ６から発せられた光はアクリル板２に導入され、導入された光は、拡散シート３、塗布層４及び反射板５によってアクリル板２の全面に伝播し、拡散シート３全体を照明する。これによって、拡散シート３全体が略々均一な輝度となり、発光板１は、照明パネルとして機能する。また、拡散シート３の前面側に絵や文字等を印刷した印刷板を配置すると、絵や文字が浮かび上がり、表示板、看板等として用いることができる。
【図面の簡単な説明】
【００２１】
【図１】本発明にかかる発光板の一実施の形態を示す図であって、（ａ）は正面図、（ｂ）は上面図、（ｃ）は拡大側面図である。
【図２】図１の発光板の塗布層を示す拡大図である。
【符号の説明】
【００２２】
１  発光板
２  アクリル板
３  拡散シート
４  塗布層
４ａ  塗料
５  反射板
６  ＬＥＤ
【図１】
2006322966.tif 000003
【図２】
2006322966.tif 000004